(57)【特許請求の範囲】
【請求項１】
先端に開口部が設けられたポールに取り付けられて使用される照明器具であって、
光源を収納する長手状の収納部と、前記収納部に連結された取付部とを有する本体と、
前記本体の外部に露出するように前記本体の取付部に取り付けられ、前記光源を点灯させる長手状の点灯装置と
を備え、
前記点灯装置の少なくとも一部が前記ポールの開口部から挿入されて前記ポールの内部に収納され、前記本体の取付部が前記ポールの先端に装着され、
前記点灯装置は、長手方向が前記本体の収納部の長手方向に対して垂直になる向きと長手方向が前記本体の収納部の長手方向に対して平行になる向きとの間で回動自在に前記本体の取付部に取り付けられることを特徴とする照明器具。
【請求項２】
請求項１の照明器具と、
前記照明器具が取り付けられたポールと
を備えることを特徴とする街路灯。
【発明の詳細な説明】
【技術分野】
【０００１】
本発明は、照明器具及び街路灯に関するものである。
【背景技術】
【０００２】
従来より、ＬＥＤやＨＩＤランプを光源として点灯装置を内蔵し、ポール先端に取り付けられるタイプの街路灯用照明器具がある（例えば、特許文献１参照）。
【先行技術文献】
【特許文献】
【０００３】
【特許文献１】特開２００９−３２４６８号公報
【発明の概要】
【発明が解決しようとする課題】
【０００４】
点灯装置を内蔵する街路灯用照明器具の場合、本体の小型化に際しては、内蔵する電気部品が光源の熱の影響を受けやすいことから、放熱対策や光源と点灯装置の距離を離す等の部品配置を考慮する必要があり、高コストや意匠性への制約があるという課題があった。
【０００５】
特にＨＩＤランプよりも形状が小さいＬＥＤでは、より本体を小型化しやすいが、点灯装置との距離が近い場合、ＬＥＤからの熱の影響を受けやすく、そのメリットを生かしきれないという課題もあった。
【０００６】
本発明は、例えば、照明器具の本体を小型化することを目的とする。
【課題を解決するための手段】
【０００７】
本発明の一の態様に係る照明器具は、
先端に開口部が設けられたポールに取り付けられて使用される照明器具であって、
光源を収納する収納部と、前記収納部に連結された取付部とを有する本体と、
前記本体の取付部に取り付けられ、前記光源を点灯させる点灯装置とを備え、
前記点灯装置の少なくとも一部が前記ポールの開口部から挿入されて前記ポールの内部に収納され、前記本体の取付部が前記ポールの先端に装着される。
【発明の効果】
【０００８】
本発明の一の態様によれば、点灯装置の少なくとも一部がポールの開口部から挿入されてポールの内部に収納されるため、照明器具の本体を小型化することが可能となる。
【図面の簡単な説明】
【０００９】
【図１】実施の形態１に係る街路灯の斜視図。
【図２】実施の形態１に係る街路灯の部分断面図。
【図３】実施の形態１に係る照明器具及びポールの斜視図。
【図４】実施の形態１に係る照明器具の断面図。
【図５】実施の形態１に係る照明器具の部分分解斜視図。
【図６】実施の形態１に係る照明器具の分解断面図。
【図７】実施の形態２に係る街路灯の斜視図。
【図８】実施の形態２に係る街路灯の部分断面図。
【図９】実施の形態２に係る照明器具及びポールの斜視図。
【図１０】実施の形態２に係る照明器具の断面図。
【図１１】実施の形態２に係る照明器具の斜視図。
【図１２】実施の形態２に係る照明器具の断面図。
【発明を実施するための形態】
【００１０】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１１】
実施の形態１．
図１は、本実施の形態に係る街路灯１０の斜視図である。図２は、街路灯１０の部分断面図である。
【００１２】
街路灯１０は、照明器具１１と、照明器具１１が取り付けられたポール１５とを備える。ポール１５は、道路等、地上に立設される。例えば、ポール１５が道路に設置されるのであれば、照明器具１１は、光を照射する面がポール１５より道路の中央側に位置するようにポール１５に取り付けられることが望ましい。本実施の形態では、ポール１５は、四角柱状であるが、円柱状等、他の形状であっても構わない。
【００１３】
図３は、照明器具１１及びポール１５の斜視図である。図４は、照明器具１１の断面図である。なお、図１は、照明器具１１がポール１５に取り付けられた（街路灯１０が構成された）状態を示していたが、図３は、照明器具１１がポール１５に取り付けられる前（又はポール１５から取り外された後）の状態を示している。
【００１４】
ポール１５の先端（上端）には、開口部が設けられており、この開口部から、ポール１５の外部の電源に接続された電源線１６がポール１５の内側に延びる。
【００１５】
照明器具１１は、側面形状がＬ字形状の本体１２と、この本体１２の一方側に内蔵されるＬＥＤモジュール１３と、本体１２の他端側に内蔵される点灯装置１４とを備える。
【００１６】
本体１２は、ＬＥＤモジュール１３を収納する収納部２１と、収納部２１に連結された取付部３１とを有する。本実施の形態では、収納部２１は、長手状である。具体的には、収納部２１は、直方体状であるが、円柱状、多角柱状等、他の形状であっても構わない。取付部３１の一端（下端）は、開口されており、ポール１５の先端と嵌合可能な形状になっている。本実施の形態では、この取付部３１の一端にポール１５の先端が挿入されることで取付部３１がポール１５の先端に装着されるが、ポール１５の先端に取付部３１の一端が挿入されることで取付部３１がポール１５の先端に装着されるようにしても構わない。
【００１７】
ＬＥＤモジュール１３は、光源の例であり、１２個のＬＥＤが１枚の基板上で本体１２の収納部２１の長手方向に沿って略直線状に１列に配置されたものである。なお、ＬＥＤモジュール１３において、ＬＥＤの個数、基板の枚数、ＬＥＤの配置等は、照明器具１１の用途等に合わせて変更されてよい。また、ＬＥＤモジュール１３の代わりに、有機ＥＬ等、他の種類の光源が用いられても構わない。
【００１８】
点灯装置１４は、本体１２の取付部３１に取り付けられ、ＬＥＤモジュール１３を点灯させる。本実施の形態では、点灯装置１４は、長手状であり、長手方向が本体１２の収納部２１の長手方向に対して垂直になるように本体１２の取付部３１に収納される。具体的には、点灯装置１４は、直方体状であるが、円柱状、多角柱状等、他の形状であっても構わない。
【００１９】
照明器具１１は、ポール１５に取り付けられて使用される際に、点灯装置１４の少なくとも一部がポール１５の開口部から挿入されてポール１５の内部に収納され、本体１２の取付部３１がポール１５の先端に装着される。このとき、点灯装置１４は、電源線１６と電気的に接続され、電源線１６を介してポール１５の外部の電源から給電される。これにより、点灯装置１４がＬＥＤモジュール１３を点灯させることが可能になる。本実施の形態では、点灯装置１４の一部のみがポール１５の内部に収納されるが、点灯装置１４の全体がポール１５の内部に収納されても構わない。
【００２０】
本実施の形態によれば、上記のように、点灯装置１４の少なくとも一部がポール１５の開口部から挿入されてポール１５の内部に収納されるため、照明器具１１の本体１２を小型化することが可能となる。
【００２１】
図５は、照明器具１１の部分分解斜視図である。図６は、照明器具１１の分解断面図である。なお、図５は、本体１２の収納部２１と、収納部２１に収納されたＬＥＤモジュール１３のみを示している。
【００２２】
本体１２は、ＬＥＤモジュール１３の収納部２１と、ポール１５を挿入して固定するための取付部３１に分かれ、例えばボルト・ナット（図示していない）で締結されている。
【００２３】
収納部２１は、収納部本体部２２と、この収納部本体部２２に取り付けられる収納部カバー部２３とを備える。なお、収納部本体部２２と収納部カバー部２３との間には、防水パッキン等が設けられる場合がある。
【００２４】
収納部本体部２２は、一面が開口する直方体形状をなし、長手方向の一端面に固定穴２２ｄ及び電線引込穴２２ｅが設けられる収納部本体２２ａと、この収納部本体２２ａに取り付けられるＬＥＤモジュール取付部２２ｂと、収納部カバー部２３が取り付けられる２つの取付具２２ｃで構成される。固定穴２２ｄは、前述したボルト・ナットを挿通して収納部２１を取付部３１に固定するための穴である。電線引込穴２２ｅは、ＬＥＤモジュール１３と点灯装置１４とを接続する電線４１を引き込むための穴である。ＬＥＤモジュール取付部２２ｂには、ＬＥＤモジュール１３（特に、ＬＥＤ）の発光面が下方を向くようにＬＥＤモジュール１３（特に、基板）が取り付けられる。
【００２５】
収納部カバー部２３は、カバー枠体２３ａと、このカバー枠体２３ａの内側に取り付けられる四角い枠状のパッキン２３ｇと、このパッキン２３ｇの上に載置される長方形の透明カバー２３ｂと、この透明カバー２３ｂの外周を支持するＬ字状の金具からなる４つの支持片２３ｃと、Ｌ字形状をなし、ネジ２３ｆによって支持片２３ｃに固定されて、透明カバー２３ｂをパッキン２３ｇに押し付ける４つの押付片２３ｄと、カバー枠体２３ａを取付具２２ｃに固定する２つのネジ２３ｅで構成される。なお、支持片２３ｃは、スポット溶接、ネジ止めなどによりカバー枠体２３ａに取り付けられる。
【００２６】
取付部３１の収納部２１に連結する部分には、収納部２１の固定穴２２ｄに対応する固定穴（図示していない）と、収納部２１の電線引込穴２２ｅに対応する電線挿通孔３１ａとが設けられている。取付部３１の固定穴は、収納部２１の固定穴２２ｄに挿通されるボルト・ナットを挿通して取付部３１を収納部２１に固定するための穴である。取付部３１の電線挿通孔３１ａは、点灯装置１４から引き出され、収納部２１の電線引込穴２２ｅを介してＬＥＤモジュール１３に接続される電線４１を挿通するための穴である。取付部３１の電線挿通孔３１ａと収納部２１の電線引込穴２２ｅには、共通のパッキン４２が装着される。
【００２７】
このように、収納部２１は下面が透明カバー２３ｂで覆われ、また、取付部３１からの水気の浸入もなく、防水性を有している。ただし、ＬＥＤモジュール１３が単独で防水性能を有していれば、この構造である必要はない。
【００２８】
取付部３１は、内側に点灯装置１４を固定するための金具３１ｂを備える。取付部３１の一端（下端）には、ポール１５の先端（上端）の外周（外径）よりも大きい取付穴が設けられている。
【００２９】
点灯装置１４は、ポール１５の先端の内周（内径）よりも外形寸法が小さく、取付部３１内にポール１５の軸方向に配置され、金具３１ｂに固定されている。点灯装置１４の外郭は、防水ケース、防水パッキン等で構成されており、点灯装置１４は、単独で防水性を有している。また、点灯装置１４は、内部から引き出された電源接続用の口出し線４４を備える。
【００３０】
照明器具１１がポール１５に取り付けられる際には、まず、点灯装置１４の口出し線４４がポール１５内に設置された電源線１６に接続される。次に、取付部３１の取付穴からポール１５が挿入される。次に、４つの取付ボルト４３によって取付部３１がポール１５に固定される。このとき、取付部３１の金具３１ｂに固定された点灯装置１４の一部（下部）がポール１５の内部に収納される状態となる。よって、本体１２の小型化が図れる。
【００３１】
本実施の形態によれば、点灯装置１４が、ＬＥＤモジュール１３を収納する収納部２１から隔絶された空間（取付部３１）に設けられ、また下方に位置するため、ＬＥＤモジュール１３が点灯時に発する熱の影響を受けにくくなる。さらに、点灯装置１４が収納されるポール１５内の容積は照明器具１１よりも大きいため、熱がこもりにくく、点灯装置１４の自己発熱による温度上昇も抑えることができる。
【００３２】
以上より、本実施の形態では、ＬＥＤモジュール１３の形状が小さいというメリットを活かして本体１２の収納部２１の薄型化が図れるとともに、点灯装置１４がＬＥＤモジュール１３の熱の影響を受けにくいため、ＬＥＤモジュール１３と点灯装置１４との距離を近づけることができ、さらに本体１２の小型化が図れる。
【００３３】
以上説明したように、本実施の形態に係る照明器具１１は、光源（ＬＥＤモジュール１３）及び点灯装置１４を備え、ポール１５への取り付けにおいて、点灯装置１４がポール１５の先端より内部に挿入され、収納される構造である。本実施の形態によれば、照明器具１１をポール１５に取り付けた状態で、点灯装置１４がポール１５内に収納される構造とすることで、光源からの熱による温度上昇を抑制でき、放熱対策の簡略化や小型化によりコストの低減が図れるとともに、本体１２の薄型化、小型化により意匠性の向上を図ることができる。
【００３４】
実施の形態２．
本実施の形態について、主に実施の形態１との差異を説明する。
【００３５】
図７は、本実施の形態に係る街路灯１０の斜視図である。図８は、街路灯１０の部分断面図である。
【００３６】
本実施の形態では、点灯装置１４の全体がポール１５の内部に収納される。
【００３７】
図９は、照明器具１１及びポール１５の斜視図である。図１０は、照明器具１１の断面図である。なお、図７は、照明器具１１がポール１５に取り付けられた（街路灯１０が構成された）状態を示していたが、図９は、照明器具１１がポール１５に取り付けられる前（又はポール１５から取り外された後）の状態を示している。
【００３８】
本実施の形態では、実施の形態１と比べて取付部３１の長さが短く、点灯装置１４が取付部３１から露出した状態になっている。
【００３９】
取付部３１の金具３１ｂは、取付部３１の内壁に固定される固定部材３１ｃと、点灯装置１４が本体１２の外部に露出するように取り付けられる取付部材３１ｄと、この取付部材３１ｄを回動可能に固定部材３１ｃに取り付けるヒンジ３１ｅとを備える。
【００４０】
図１１は、照明器具１１の斜視図である。図１２は、照明器具１１の断面図である。図９及び図１０は、取付部３１の金具３１ｂのヒンジ３１ｅが真っ直ぐに伸びた状態を示していたが、図１１及び図１２は、取付部３１の金具３１ｂのヒンジ３１ｅが９０度折れ曲がった状態を示している。
【００４１】
例えば、照明器具１１の出荷時は取付部３１の金具３１ｂを９０度折り曲げた状態で照明器具１１を梱包しておき、施工時に取付部３１の金具３１ｂを真っ直ぐに伸ばして照明器具１１をポール１５に取り付けることができる。このようにすることで、梱包時の容積を小さくできるため、輸送コストを削減できる。
【００４２】
上記のように、本実施の形態では、点灯装置１４は、長手方向が本体１２の収納部２１の長手方向に対して垂直になる向きと長手方向が本体１２の収納部２１の長手方向に対して平行になる向きとの間で回動自在に本体１２の取付部３１に取り付けられる。本実施の形態によれば、照明器具１１の梱包時等の容積を小さくできる。
【００４３】
以上、本発明の実施の形態について説明したが、本発明は、これらの実施の形態に限定されるものではなく、必要に応じて種々の変更が可能である。
【符号の説明】
【００４４】
１０  街路灯、１１  照明器具、１２  本体、１３  ＬＥＤモジュール、１４  点灯装置、１５  ポール、１６  電源線、２１  収納部、２２  収納部本体部、２２ａ  収納部本体、２２ｂ  ＬＥＤモジュール取付部、２２ｃ  取付具、２２ｄ  固定穴、２２ｅ  電線引込穴、２３  収納部カバー部、２３ａ  カバー枠体、２３ｂ  透明カバー、２３ｃ  支持片、２３ｄ  押付片、２３ｅ，２３ｆ  ネジ、２３ｇ  パッキン、３１  取付部、３１ａ  電線挿通孔、３１ｂ  金具、３１ｃ  固定部材、３１ｄ  取付部材、３１ｅ  ヒンジ、４１  電線、４２  パッキン、４３  取付ボルト、４４  口出し線。
【図１】
0005769513.tif 000002
【図２】
0005769513.tif 000003
【図３】
0005769513.tif 000004
【図４】
0005769513.tif 000005
【図５】
0005769513.tif 000006
【図６】
0005769513.tif 000007
【図７】
0005769513.tif 000008
【図８】
0005769513.tif 000009
【図９】
0005769513.tif 000010
【図１０】
0005769513.tif 000011
【図１１】
0005769513.tif 000012
【図１２】
0005769513.tif 000013